(57)【特許請求の範囲】
【請求項１】
開口部を有する筺体と、
コード化パターンを読み取り、手書きストロークに関する記入情報を生成する電子ペン部と、
ペン先がタッチパネルに当接した場合に、当該タッチパネルにより検知される構造を有するタッチパネル用ペン部と、
前記電子ペン部のペン先と、前記タッチパネル用ペン部のペン先とのいずれかを、前記開口部から突出していない収納状態から、前記開口部から突出した突出状態に遷移させるペン先遷移機構と
を備えることを特徴とする電子ペン。
【請求項２】
前記電子ペン部のペン先は、タッチパネルと接触した場合であっても、接触を検出されない素材により形成されることを特徴とする請求項１に記載の電子ペン。
【請求項３】
前記電子ペン部のペン先又は／及び前記タッチパネル用ペン部のペン先が前記突出状態又は前記収納状態のいずれであるかを検知する検知部をさらに備えることを特徴とする請求項１または２に記載の電子ペン。
【請求項４】
前記検知部は、長手方向における前記電子ペン部又は／及び前記タッチパネル用ペン部の移動を検出することで、当該電子ペン部又は／及びタッチパネル用ペン部のペン先が前記突出状態又は前記収納状態のいずれであるかを検知することを特徴とする請求項３に記載の電子ペン。
【請求項５】
前記開口部の方向へ前記電子ペン部が移動した場合と、前記開口部の方向へ前記タッチパネル用ペン部が移動した場合とで異なる方向へ回動する回動部と、
前記回動部が回動する軸であって、前記回動部と共に回動する軸部とを備え、
前記検知部は、前記軸部の状態に基づき、前記電子ペン部のペン先及び前記タッチパネル用ペン部のペン先が前記突出状態又は前記収納状態のいずれであるかを検知することを特徴とする請求項３に記載の電子ペン。
【請求項６】
請求項３乃至５のいずれか一項に記載の電子ペンと、
タッチパネルと、前記電子ペンで読取り可能なコード化パターンが形成されたコード化パターン層とが積層されたディスプレイと、
前記タッチパネルによる入力と、前記電子ペン部による入力とが可能なコンピュータ装置とを備える入力システムであって、
前記電子ペンは、
前記電子ペン部のペン先が前記突出状態か又は前記収納状態かを示す検知信号を前記コンピュータ装置に送信する送信手段をさらに備え、
前記コンピュータ装置は、
前記電子ペンから、前記検知信号を受信する受信手段と、
前記検知信号に基づき、前記電子ペン部のペン先が前記突出状態であると判断した場合、前記タッチパネルによる入力機能を制限する処理手段と
を備えることを特徴とする入力システム。
【請求項７】
請求項３乃至５のいずれか一項に記載の複数の電子ペンと、
タッチパネルと、前記電子ペンで読取り可能なコード化パターンが形成されたコード化パターン層とが積層されたディスプレイと、
前記タッチパネルによる入力と、前記電子ペン部による入力とが可能なコンピュータ装置とを備える入力システムであって、
前記電子ペンは、
前記電子ペン部のペン先が前記突出状態か又は前記収納状態かを示す検知信号を前記コンピュータ装置に送信する送信手段をさらに備え、
前記コンピュータ装置は、
前記電子ペンの各々から、前記検知信号を受信する受信手段と、
前記電子ペンの各々から送信された前記検知信号に基づき、全ての前記電子ペンの前記電子ペン部のペン先が前記突出状態であると判断した場合、前記タッチパネルによる入力機能をオフにし、
いずれかの前記電子ペンの前記電子ペン部のペン先が前記収納状態であると判断した場合、前記電子ペンの電子ペン部による記入位置から所定範囲内における前記タッチパネルへの入力の処理を制限する制御を行う処理手段と
を備えることを特徴とする入力システム。
【請求項８】
請求項３乃至５のいずれか一項に記載の複数の電子ペンと、
タッチパネルと、電子ペンで読取り可能なコード化パターンが形成されたコード化パターン層とが積層されたディスプレイと、
前記タッチパネルによる入力と、前記電子ペン部による入力とが可能なコンピュータ装置とを備える入力システムであって、
前記電子ペンは、
前記タッチパネル用ペン部のペン先が前記突出状態か又は前記収納状態かを示す検知信号を前記コンピュータ装置に送信する送信手段をさらに備え、
前記コンピュータ装置は、
前記電子ペンの各々から、前記検知信号を受信する受信手段と、
前記電子ペンの各々から送信された前記検知信号に基づき、全ての前記電子ペンの前記タッチパネル用ペン部のペン先が前記収納状態であると判断した場合、前記タッチパネルによる入力機能をオフにし、
いずれかの前記電子ペンの前記タッチパネル用ペン部のペン先が前記突出状態であると判断した場合、前記電子ペンの電子ペン部による記入位置から所定範囲内における前記タッチパネルへの入力の処理を制限する制御を行う処理手段と
を備えることを特徴とする入力システム。
【請求項９】
請求項３乃至５のいずれか一項に記載の電子ペンと、
電子ペンで読取り可能なコード化パターンが形成されたコード化パターン層が積層されたタッチパネルと、
前記タッチパネルと通信可能であり、当該タッチパネルによる入力と、前記電子ペン部による入力とが可能なコンピュータ装置と、
前記コンピュータ装置から送信された画像信号に基づく表示画面を前記タッチパネルに投影するプロジェクタとを備える入力システムであって、
前記電子ペンは、
前記電子ペン部のペン先が前記突出状態か又は前記収納状態かを示す検知信号を前記コンピュータ装置に送信する送信手段をさらに備え、
前記コンピュータ装置は、
前記電子ペンから、前記検知信号を受信する受信手段と、
前記検知信号に基づき、前記電子ペン部のペン先が前記突出状態であると判断した場合、前記タッチパネルによる入力機能を制限する処理手段と
を備えることを特徴とする入力システム。
【請求項１０】
請求項３乃至５のいずれか一項に記載の複数の電子ペンと、
電子ペンで読取り可能なコード化パターンが形成されたコード化パターン層とが積層されたタッチパネルと、
前記タッチパネルと通信可能であり、当該タッチパネルによる入力と、前記電子ペン部による入力とが可能なコンピュータ装置と、
前記コンピュータ装置から送信された画像信号に基づく表示画面を前記タッチパネルに投影するプロジェクタとを備える入力システムであって、
前記電子ペンは、
前記電子ペン部のペン先が前記突出状態か又は前記収納状態かを示す検知信号を前記コンピュータ装置に送信する送信手段をさらに備え、
前記コンピュータ装置は、
前記電子ペンの各々から、前記検知信号を受信する受信手段と、
前記電子ペンの各々から送信された前記検知信号に基づき、全ての前記電子ペンの前記電子ペン部のペン先が前記突出状態であると判断した場合、前記タッチパネルによる入力機能をオフにし、
いずれかの前記電子ペンの前記電子ペン部のペン先が前記収納状態であると判断した場合、前記電子ペンの電子ペン部による記入位置から所定範囲内における前記タッチパネルへの入力の処理を制限する制御を行う処理手段と
を備えることを特徴とする入力システム。
【請求項１１】
請求項３乃至５のいずれか一項に記載の複数の電子ペンと、
電子ペンで読取り可能なコード化パターンが形成されたコード化パターン層とが積層されたタッチパネルと、
前記タッチパネルと通信可能であり、当該タッチパネルによる入力と、前記電子ペン部による入力とが可能なコンピュータ装置と、
前記コンピュータ装置から送信された画像信号に基づく表示画面を前記タッチパネルに投影するプロジェクタとを備える入力システムであって、
前記電子ペンは、
前記タッチパネル用ペン部のペン先が前記突出状態か又は前記収納状態かを示す検知信号を前記コンピュータ装置に送信する送信手段をさらに備え、
前記コンピュータ装置は、
前記電子ペンの各々から、前記検知信号を受信する受信手段と、
前記電子ペンの各々から送信された前記検知信号に基づき、全ての前記電子ペンの前記タッチパネル用ペン部のペン先が前記収納状態であると判断した場合、前記タッチパネルによる入力機能をオフにし、
いずれかの前記電子ペンの前記タッチパネル用ペン部のペン先が前記突出状態であると判断した場合、前記電子ペンの電子ペン部による記入位置から所定範囲内における前記タッチパネルへの入力の処理を制限する制御を行う処理手段と
を備えることを特徴とする入力システム。
【請求項１２】
前記処理手段は、
前記コンピュータ装置に予め登録されている電子ペン、又は／及び、所定時間幅以内に前記コンピュータ装置へ前記記入情報を送信した電子ペンから送信された前記検知信号に基づき、前記制御を行うことを特徴とする請求項７、８、１０、１１のいずれか一項に記載の入力システム。
【請求項１３】
請求項３乃至５のいずれか一項に記載の電子ペンと、
タッチパネルと、電子ペンで読取り可能なコード化パターンが形成されたコード化パターン層とが積層されたディスプレイと、
前記タッチパネルによる入力と、前記電子ペン部による入力とが可能なコンピュータ装置とを備える入力システムであって、
前記電子ペンは、前記電子ペン部のペン先が前記突出状態か又は前記収納状態かを示す検知信号を前記コンピュータ装置に送信する送信手段をさらに備える入力システムの前記コンピュータ装置により実行されるプログラムであって、
前記電子ペンから、前記検知信号を受信する受信手段、
前記検知信号に基づき、前記電子ペン部のペン先が前記突出状態であると判断した場合、前記タッチパネルによる入力機能を制限する処理手段
として前記コンピュータ装置を機能させることを特徴とするプログラム。
【請求項１４】
請求項３乃至５のいずれか一項に記載の複数の電子ペンと、
タッチパネルと、電子ペンで読取り可能なコード化パターンが形成されたコード化パターン層とが積層されたディスプレイと、
前記タッチパネルによる入力と、前記電子ペン部による入力とが可能なコンピュータ装置とを備える入力システムであって、
前記電子ペンは、前記電子ペン部のペン先が前記突出状態か又は前記収納状態かを示す検知信号を前記コンピュータ装置に送信する送信手段をさらに備える入力システムの前記コンピュータ装置により実行されるプログラムであって、
前記電子ペンの各々から、前記検知信号を受信する受信手段、
前記電子ペンの各々から送信された前記検知信号に基づき、全ての前記電子ペンの前記電子ペン部のペン先が前記突出状態であると判断した場合、前記タッチパネルによる入力機能をオフにし、
いずれかの前記電子ペンの前記電子ペン部のペン先が前記収納状態であると判断した場合、前記電子ペンの電子ペン部による記入位置から所定範囲内における前記タッチパネルへの入力の処理を制限する制御を行う処理手段
として前記コンピュータ装置を機能させることを特徴とするプログラム。
【請求項１５】
請求項３乃至５のいずれか一項に記載の複数の電子ペンと、
タッチパネルと、電子ペンで読取り可能なコード化パターンが形成されたコード化パターン層とが積層されたディスプレイと、
前記タッチパネルによる入力と、前記電子ペン部による入力とが可能なコンピュータ装置とを備える入力システムであって、
前記電子ペンは、
前記タッチパネル用ペン部のペン先が前記突出状態か又は前記収納状態かを示す検知信号を前記コンピュータ装置に送信する送信手段をさらに備える入力システムの前記コンピュータ装置により実行されるプログラムであって、
前記コンピュータ装置は、
前記電子ペンの各々から、前記検知信号を受信する受信手段、
前記電子ペンの各々から送信された前記検知信号に基づき、全ての前記電子ペンの前記タッチパネル用ペン部のペン先が前記収納状態であると判断した場合、前記タッチパネルによる入力機能をオフにし、
いずれかの前記電子ペンの前記タッチパネル用ペン部のペン先が前記突出状態であると判断した場合、前記電子ペンの電子ペン部による記入位置から所定範囲内における前記タッチパネルへの入力の処理を制限する制御を行う処理手段
として前記コンピュータ装置を機能させることを特徴とするプログラム。
【請求項１６】
請求項３乃至５のいずれか一項に記載の電子ペンと、
電子ペンで読取り可能なコード化パターンが形成されたコード化パターン層が積層されたタッチパネルと、
前記タッチパネルと通信可能であり、当該タッチパネルによる入力と、前記電子ペン部による入力とが可能なコンピュータ装置と、
前記コンピュータ装置から送信された画像信号に基づく表示画面を前記タッチパネルに投影するプロジェクタとを備える入力システムであって、
前記電子ペンは、
前記電子ペン部のペン先が前記突出状態か又は前記収納状態かを示す検知信号を前記コンピュータ装置に送信する送信手段をさらに備える入力システムの前記コンピュータ装置により実行されるプログラムであって、
前記電子ペンから、前記検知信号を受信する受信手段、
前記検知信号に基づき、前記電子ペン部のペン先が前記突出状態であると判断した場合、前記タッチパネルによる入力機能を制限する処理手段
として前記コンピュータ装置を機能させることを特徴とするプログラム。
【請求項１７】
請求項３乃至５のいずれか一項に記載の複数の電子ペンと、
電子ペンで読取り可能なコード化パターンが形成されたコード化パターン層とが積層されたタッチパネルと、
前記タッチパネルと通信可能であり、当該タッチパネルによる入力と、前記電子ペン部による入力とが可能なコンピュータ装置と、
前記コンピュータ装置から送信された画像信号に基づく表示画面を前記タッチパネルに投影するプロジェクタとを備える入力システムであって、
前記電子ペンは、前記電子ペン部のペン先が前記突出状態か又は前記収納状態かを示す検知信号を前記コンピュータ装置に送信する送信手段をさらに備える入力システムの前記コンピュータ装置により実行されるプログラムであって、
前記電子ペンの各々から、前記検知信号を受信する受信手段、
前記電子ペンの各々から送信された前記検知信号に基づき、全ての前記電子ペンの前記電子ペン部のペン先が前記突出状態であると判断した場合、前記タッチパネルによる入力機能をオフにし、
いずれかの前記電子ペンの前記電子ペン部のペン先が前記収納状態であると判断した場合、前記電子ペンの電子ペン部による記入位置から所定範囲内における前記タッチパネルへの入力の処理を制限する制御を行う処理手段
として前記コンピュータ装置を機能させることを特徴とするプログラム。
【請求項１８】
請求項３乃至５のいずれか一項に記載の複数の電子ペンと、
電子ペンで読取り可能なコード化パターンが形成されたコード化パターン層とが積層されたタッチパネルと、
前記タッチパネルと通信可能であり、当該タッチパネルによる入力と、前記電子ペン部による入力とが可能なコンピュータ装置と、
前記コンピュータ装置から送信された画像信号に基づく表示画面を前記タッチパネルに投影するプロジェクタとを備える入力システムであって、
前記電子ペンは、
前記タッチパネル用ペン部のペン先が前記突出状態か又は前記収納状態かを示す検知信号を前記コンピュータ装置に送信する送信手段をさらに備える入力システムの前記コンピュータ装置により実行されるプログラムであって、
前記電子ペンの各々から、前記検知信号を受信する受信手段、
前記電子ペンの各々から送信された前記検知信号に基づき、全ての前記電子ペンの前記タッチパネル用ペン部のペン先が前記収納状態であると判断した場合、前記タッチパネルによる入力機能をオフにし、
いずれかの前記電子ペンの前記タッチパネル用ペン部のペン先が前記突出状態であると判断した場合、前記電子ペンの電子ペン部による記入位置から所定範囲内における前記タッチパネルへの入力の処理を制限する制御を行う処理手段
として前記コンピュータ装置を機能させることを特徴とするプログラム。
【請求項１９】
前記処理手段は、
前記コンピュータ装置に予め登録されている電子ペン、又は／及び、所定時間幅以内に前記コンピュータ装置が受信した前記記入情報を送信した電子ペンから送信された前記検知信号に基づき、前記制御を行うことを特徴とする請求項１４、１５、１７、１８のいずれか一項に記載のプログラム。
【発明の詳細な説明】
【技術分野】
【０００１】
本発明は、電子ペンで読み取り可能なコード化パターンを利用した技術に関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
また、特許文献２及び特許文献３には、光学式タッチパネルに、ドットパターンを積層し、電子ペンによる入力と、指によるタッチパネル入力が可能なシステムが開示されている。さらに、特許文献４には、近接センサが設けられ、近接センサの検知信号に基づき、電子ペンが書込み面に接近している、または接触していることを特定可能な電子ペンが開示されている。
【０００４】
さらに、特許文献５には、ボールペンとシャープペンシルとを有し、そのうち、先端口から突出させるペン先を、ノック操作により切り替え可能なノック式の複合筆記具が開示されている。特許文献６にも同様に、ノック式の複合筆記具が開示されている。
【０００５】
また、非特許文献１には、液晶を挿んで電磁誘導方式のタブレットを下部に、抵抗膜方式のタッチパネルを上部に配置された構成を有し、電子ペンによる入力と指による入力の両方が可能なタッチパネルが開示されている。
【先行技術文献】
【特許文献】
【０００６】
【特許文献１】特表２００３−５１１７６１号公報
【特許文献２】米国特許出願公開第２０１０／１９６２号明細書
【特許文献３】米国特許出願公開第２０１０／１９６３号明細書
【特許文献４】特表２００９−５４３１８１号公報
【特許文献５】実開平４−６４１８８号公報
【特許文献６】実開平３−７９９９３号公報
【非特許文献】
【０００７】
【非特許文献１】越石健司他著、「要点解説  タッチパネル」、初版、株式会社工業調査会、２０１０年３月１５日、Ｐ３６〜３７、５０〜６３、７８〜８０
【発明の概要】
【発明が解決しようとする課題】
【０００８】
電子ペンによる入力と、タッチパネルによる入力とが可能なシステムでは、１つのペンにより、電子ペンによる入力と、タッチパネルによる入力とができると便宜である。このとき、電子ペンとタッチパネルから入力を受けるコンピュータにおいても、誤入力を防ぐのが望ましい。そこで、本発明は、タッチパネルによる入力を適切に実行可能な電子ペン、当該電子ペンを用いた入力システム、及びプログラムを提供することを主な目的とする。
【課題を解決するための手段】
【０００９】
本発明に係る電子ペンは、開口部を有する筺体と、コード化パターンを読み取り、手書きストロークに関する記入情報を生成する電子ペン部と、ペン先がタッチパネルに当接した場合に、当該タッチパネルにより検知される構造を有するタッチパネル用ペン部と、前記電子ペン部のペン先と、前記タッチパネル用ペン部のペン先とのいずれかを、前記開口部から突出していない収納状態から、前記開口部から突出した突出状態に遷移させるペン先遷移機構とを備える。
【００１０】
この構成により、電子ペンは、記入情報を生成可能な電子ペン部と、ペン先がタッチパネルに当接した場合に、当該タッチパネルにより検知される構造を有するタッチパネル用ペン部とのいずれかのペン先を筺体から突出させることが可能である。従って、この構成によれば、ユーザは、当該電子ペンを用いることで、タッチパネルによる入力と電子ペン部による入力との両方を適切に実行することができる。
【００１１】
上記の電子ペンの一態様では、前記電子ペン部のペン先は、タッチパネルと接触した場合であっても、接触を検出されない素材により形成される。これにより、タッチパネルに重畳してコード化パターンが付されたディスプレイ上で電子ペン部のペン先を突出状態にして入力を行った際に、タッチパネルが誤って入力を検知してしまうのを抑制することができる。
【００１２】
上記の電子ペンの他の一態様では、前記電子ペン部のペン先又は／及び前記タッチパネル用ペン部のペン先が前記突出状態又は前記収納状態のいずれであるかを検知する検知部をさらに備える。
【００１３】
上記の電子ペンの他の一態様では、前記検知部は、長手方向における前記電子ペン部又は／及び前記タッチパネル用ペン部の移動を検出することで、当該電子ペン部又は／及びタッチパネル用ペン部のペン先が前記突出状態又は前記収納状態のいずれであるかを検知する。この態様により、検知部は、好適に電子ペン部又は／及びタッチパネル用ペン部のペン先が突出状態又は収納状態のいずれであるかを特定することができる。
【００１４】
上記電子ペンの他の一態様では、前記開口部の方向へ前記電子ペン部が移動した場合と、前記開口部の方向へ前記タッチパネル用ペン部が移動した場合とで異なる方向へ回動する回動部と、前記回動部が回動する軸であって、前記回動部と共に回動する軸部とを備え、前記検知部は、前記軸部の状態に基づき、前記電子ペン部のペン先及び前記タッチパネル用ペン部のペン先が前記突出状態又は前記収納状態のいずれであるかを検知する。なお、「回動」とは、正逆方向に円運動することを指す。この態様により、検知部は、好適に、電子ペン部のペン先及びタッチパネル用ペン部のペン先が突出状態又は収納状態のいずれであるかを特定することができる。
【００１５】
本発明に係る入力システムは、請求項３乃至５のいずれか一項に記載の電子ペンと、タッチパネルと、前記電子ペンで読取り可能なコード化パターンが形成されたコード化パターン層とが積層されたディスプレイと、前記タッチパネルによる入力と、前記電子ペン部による入力とが可能なコンピュータ装置とを備える入力システムであって、前記電子ペンは、前記電子ペン部のペン先が前記突出状態か又は前記収納状態かを示す検知信号を前記コンピュータ装置に送信する送信手段をさらに備え、前記コンピュータ装置は、前記電子ペンから、前記検知信号を受信する受信手段と、前記検知信号に基づき、前記電子ペン部のペン先が前記突出状態であると判断した場合、前記タッチパネルによる入力機能を制限する処理手段とを備える。
【００１６】
この構成により、コンピュータ装置は、電子ペン部のペン先が突出状態か又は収納状態であるかを示す検知信号を受信し、検知信号が、電子ペン部のペン先が突出状態であることを示す場合、ディスプレイのタッチパネルによる入力機能を制限する。これにより、入力システムは、タッチパネルとコード化パターン層とが積層されたディスプレイ上で、ユーザが電子ペン部による入力を行う場合に、タッチパネルが誤って入力を検知してしまうのを抑制することができる。
【００１７】
本発明に係る入力システムの別の態様では、請求項３乃至５のいずれか一項に記載の複数の電子ペンと、タッチパネルと、前記電子ペンで読取り可能なコード化パターンが形成されたコード化パターン層とが積層されたディスプレイと、前記タッチパネルによる入力と、前記電子ペン部による入力とが可能なコンピュータ装置とを備える入力システムであって、前記電子ペンは、前記電子ペン部のペン先が前記突出状態か又は前記収納状態かを示す検知信号を前記コンピュータ装置に送信する送信手段をさらに備え、前記コンピュータ装置は、前記電子ペンの各々から、前記検知信号を受信する受信手段と、前記電子ペンの各々から送信された前記検知信号に基づき、全ての前記電子ペンの前記電子ペン部のペン先が前記突出状態であると判断した場合、前記タッチパネルによる入力機能をオフにし、いずれかの前記電子ペンの前記電子ペン部のペン先が前記収納状態であると判断した場合、前記電子ペンの電子ペン部による記入位置から所定範囲内における前記タッチパネルへの入力の処理を制限する制御を行う処理手段とを備える。
【００１８】
この構成により、コンピュータ装置は、電子ペン部のペン先が突出状態か又は収納状態であるかを示す検知信号を受信し、検知信号により、電子ペン部のペン先が全て突出状態である場合には、ディスプレイのタッチパネルによる入力機能をオフにする。これにより、入力システムは、全ユーザが電子ペン部による入力を行う意思があると推定される場合にタッチパネルによる入力機能をオフにし、電子ペン部による入力時にタッチパネルが誤って入力を検知してしまうのを抑制することができる。また、コンピュータ装置は、検知信号により、いずれかの電子ペンの電子ペン部のペン先が収納状態である場合には、電子ペンの電子ペン部による記入位置から所定範囲内におけるタッチパネルへの入力の処理を制限する。これにより、入力システムは、電子ペン部による入力を行わないユーザによるタッチパネルによる入力を可能にすると共に、電子ペン部による入力中に意図せずに、指や手のひら等がディスプレイ装置に接触することがあっても、誤入力等を防ぐことができる。
【００１９】
本発明に係る入力システムのさらに別の態様では、請求項３乃至５のいずれか一項に記載の複数の電子ペンと、タッチパネルと、電子ペンで読取り可能なコード化パターンが形成されたコード化パターン層とが積層されたディスプレイと、前記タッチパネルによる入力と、前記電子ペン部による入力とが可能なコンピュータ装置とを備える入力システムであって、前記電子ペンは、前記タッチパネル用ペン部のペン先が前記突出状態か又は前記収納状態かを示す検知信号を前記コンピュータ装置に送信する送信手段をさらに備え、前記コンピュータ装置は、前記電子ペンの各々から、前記検知信号を受信する受信手段と、前記電子ペンの各々から送信された前記検知信号に基づき、全ての前記電子ペンの前記タッチパネル用ペン部のペン先が前記収納状態であると判断した場合、前記タッチパネルによる入力機能をオフにし、いずれかの前記電子ペンの前記タッチパネル用ペン部のペン先が前記突出状態であると判断した場合、前記電子ペンの電子ペン部による記入位置から所定範囲内における前記タッチパネルへの入力の処理を制限する制御を行う処理手段とを備える。
【００２０】
この構成により、コンピュータ装置は、タッチパネル用ペン部のペン先が突出状態か又は収納状態であるかを示す検知信号を受信し、検知信号により、タッチパネル用ペン部のペン先が全て収納状態である場合には、ディスプレイのタッチパネルによる入力機能をオフにする。これにより、入力システムは、全ユーザがタッチパネルによる入力を行う意思がないと推定される場合にタッチパネルによる入力機能をオフにし、電子ペン部による入力時にタッチパネルが誤って入力を検知してしまうのを抑制することができる。また、コンピュータ装置は、検知信号により、いずれかの電子ペンのタッチパネル用ペン部のペン先が突出状態である場合には、電子ペンの電子ペン部による記入位置から所定範囲内におけるタッチパネルへの入力の処理を制限する。これにより、入力システムは、タッチパネル用ペン部による入力を可能にすると共に、電子ペン部による入力中に意図せずに、指や手のひら等がディスプレイ装置に接触することがあっても、誤入力等を防ぐことができる。
【００２１】
本発明に係る入力システムのさらに別の態様では、請求項３乃至５のいずれか一項に記載の電子ペンと、電子ペンで読取り可能なコード化パターンが形成されたコード化パターン層が積層されたタッチパネルと、前記タッチパネルと通信可能であり、当該タッチパネルによる入力と、前記電子ペン部による入力とが可能なコンピュータ装置と、前記コンピュータ装置から送信された画像信号に基づく表示画面を前記タッチパネルに投影するプロジェクタとを備える入力システムであって、前記電子ペンは、前記電子ペン部のペン先が前記突出状態か又は前記収納状態かを示す検知信号を前記コンピュータ装置に送信する送信手段をさらに備え、前記コンピュータ装置は、前記電子ペンから、前記検知信号を受信する受信手段と、前記検知信号に基づき、前記電子ペン部のペン先が前記突出状態であると判断した場合、前記タッチパネルによる入力機能を制限する処理手段とを備える。
【００２２】
この構成により、入力システムは、コード化パターン層が積層されたタッチパネルに、表示画面を投影させるため、プロジェクタへ画像信号を送信するコンピュータ装置を有する。そして、コンピュータ装置は、電子ペン部のペン先が突出状態か又は収納状態であるかを示す検知信号を受信し、検知信号が、電子ペン部のペン先が突出状態であることを示す場合、タッチパネルによる入力機能を制限する。これにより、入力システムは、コード化パターン層が積層されたタッチパネル上で、ユーザが電子ペン部による入力を行う場合に、タッチパネルが誤って入力を検知してしまうのを抑制することができる。
【００２３】
本発明に係る入力システムのさらに別の態様では、請求項３乃至５のいずれか一項に記載の複数の電子ペンと、電子ペンで読取り可能なコード化パターンが形成されたコード化パターン層とが積層されたタッチパネルと、前記タッチパネルと通信可能であり、当該タッチパネルによる入力と、前記電子ペン部による入力とが可能なコンピュータ装置と、前記コンピュータ装置から送信された画像信号に基づく表示画面を前記タッチパネルに投影するプロジェクタとを備える入力システムであって、前記電子ペンは、前記電子ペン部のペン先が前記突出状態か又は前記収納状態かを示す検知信号を前記コンピュータ装置に送信する送信手段をさらに備え、前記コンピュータ装置は、前記電子ペンの各々から、前記検知信号を受信する受信手段と、前記電子ペンの各々から送信された前記検知信号に基づき、全ての前記電子ペンの前記電子ペン部のペン先が前記突出状態であると判断した場合、前記タッチパネルによる入力機能をオフにし、いずれかの前記電子ペンの前記電子ペン部のペン先が前記収納状態であると判断した場合、前記電子ペンの電子ペン部による記入位置から所定範囲内における前記タッチパネルへの入力の処理を制限する制御を行う処理手段とを備える。
【００２４】
この構成により、入力システムは、コード化パターン層が積層されたタッチパネルに、表示画面を投影させるため、プロジェクタへ画像信号を送信するコンピュータ装置を有する。そして、コンピュータ装置は、電子ペン部のペン先が突出状態か又は収納状態であるかを示す検知信号を受信し、検知信号により、電子ペン部のペン先が全て突出状態である場合には、タッチパネルによる入力機能をオフにする。これにより、入力システムは、全ユーザが電子ペン部による入力を行う意思があると推定される場合にタッチパネルによる入力機能をオフにし、電子ペン部による入力時にタッチパネルが誤って入力を検知してしまうのを抑制することができる。また、コンピュータ装置は、検知信号により、いずれかの電子ペンの電子ペン部のペン先が収納状態である場合には、電子ペンの電子ペン部による記入位置から所定範囲内におけるタッチパネルへの入力の処理を制限する。これにより、入力システムは、電子ペン部による入力を行わないユーザによるタッチパネルによる入力を可能にすると共に、電子ペン部による入力中に意図せずに、指や手のひら等がタッチパネルに接触することがあっても、誤入力等を防ぐことができる。
【００２５】
本発明に係る入力システムのさらに別の態様では、請求項３乃至５のいずれか一項に記載の複数の電子ペンと、電子ペンで読取り可能なコード化パターンが形成されたコード化パターン層とが積層されたタッチパネルと、前記タッチパネルと通信可能であり、当該タッチパネルによる入力と、前記電子ペン部による入力とが可能なコンピュータ装置と、前記コンピュータ装置から送信された画像信号に基づく表示画面を前記タッチパネルに投影するプロジェクタとを備える入力システムであって、前記電子ペンは、前記タッチパネル用ペン部のペン先が前記突出状態か又は前記収納状態かを示す検知信号を前記コンピュータ装置に送信する送信手段をさらに備え、前記コンピュータ装置は、前記電子ペンの各々から、前記検知信号を受信する受信手段と、前記電子ペンの各々から送信された前記検知信号に基づき、全ての前記電子ペンの前記タッチパネル用ペン部のペン先が前記収納状態であると判断した場合、前記タッチパネルによる入力機能をオフにし、いずれかの前記電子ペンの前記タッチパネル用ペン部のペン先が前記突出状態であると判断した場合、前記電子ペンの電子ペン部による記入位置から所定範囲内における前記タッチパネルへの入力の処理を制限する制御を行う処理手段とを備える。
【００２６】
この構成により、入力システムは、コード化パターン層が積層されたタッチパネルに、表示画面を投影させるため、プロジェクタへ画像信号を送信するコンピュータ装置を有する。そして、コンピュータ装置は、タッチパネル用ペン部のペン先が突出状態か又は収納状態であるかを示す検知信号を受信し、検知信号により、タッチパネル用ペン部のペン先が全て収納状態である場合には、タッチパネルによる入力機能をオフにする。これにより、入力システムは、全ユーザがタッチパネルによる入力を行う意思がないと推定される場合にタッチパネルによる入力機能をオフにし、電子ペン部による入力時にタッチパネルが誤って入力を検知してしまうのを抑制することができる。また、コンピュータ装置は、検知信号により、いずれかの電子ペンのタッチパネル用ペン部のペン先が突出状態である場合には、電子ペンの電子ペン部による記入位置から所定範囲内におけるタッチパネルへの入力の処理を制限する。これにより、入力システムは、タッチパネル用ペン部による入力を可能にすると共に、電子ペン部による入力中に意図せずに、指や手のひら等がタッチパネルに接触することがあっても、誤入力等を防ぐことができる。
【００２７】
上記の入力システムの一態様では、前記処理手段は、前記コンピュータ装置に予め登録されている電子ペン、又は／及び、所定時間幅以内に前記コンピュータ装置へ前記記入情報を送信した電子ペンから送信された前記検知信号に基づき、前記制御を行う。これにより、入力システムは、タッチパネルによる入力機能を制限する際に勘案すべき電子ペンの対象を好適に特定することができる。
【００２８】
本発明に係るプログラムは、請求項３乃至５のいずれか一項に記載の電子ペンと、タッチパネルと、電子ペンで読取り可能なコード化パターンが形成されたコード化パターン層とが積層されたディスプレイと、前記タッチパネルによる入力と、前記電子ペン部による入力とが可能なコンピュータ装置とを備える入力システムであって、前記電子ペンは、前記電子ペン部のペン先が前記突出状態か又は前記収納状態かを示す検知信号を前記コンピュータ装置に送信する送信手段をさらに備える入力システムの前記コンピュータ装置により実行されるプログラムであって、前記電子ペンから、前記検知信号を受信する受信手段、前記検知信号に基づき、前記電子ペン部のペン先が前記突出状態であると判断した場合、前記タッチパネルによる入力機能を制限する処理手段として前記コンピュータ装置を機能させる。
【００２９】
本発明に係るプログラムの別の態様では、請求項３乃至５のいずれか一項に記載の複数の電子ペンと、タッチパネルと、電子ペンで読取り可能なコード化パターンが形成されたコード化パターン層とが積層されたディスプレイと、前記タッチパネルによる入力と、前記電子ペン部による入力とが可能なコンピュータ装置とを備える入力システムであって、前記電子ペンは、前記電子ペン部のペン先が前記突出状態か又は前記収納状態かを示す検知信号を前記コンピュータ装置に送信する送信手段をさらに備える入力システムの前記コンピュータ装置により実行されるプログラムであって、前記電子ペンの各々から、前記検知信号を受信する受信手段、前記電子ペンの各々から送信された前記検知信号に基づき、全ての前記電子ペンの前記電子ペン部のペン先が前記突出状態であると判断した場合、前記タッチパネルによる入力機能をオフにし、いずれかの前記電子ペンの前記電子ペン部のペン先が前記収納状態であると判断した場合、前記電子ペンの電子ペン部による記入位置から所定範囲内における前記タッチパネルへの入力の処理を制限する制御を行う処理手段として前記コンピュータ装置を機能させる。
【００３０】
本発明に係るプログラムのさらに別の態様では、請求項３乃至５のいずれか一項に記載の複数の電子ペンと、タッチパネルと、電子ペンで読取り可能なコード化パターンが形成されたコード化パターン層とが積層されたディスプレイと、前記タッチパネルによる入力と、前記電子ペン部による入力とが可能なコンピュータ装置とを備える入力システムであって、前記電子ペンは、前記タッチパネル用ペン部のペン先が前記突出状態か又は前記収納状態かを示す検知信号を前記コンピュータ装置に送信する送信手段をさらに備える入力システムの前記コンピュータ装置により実行されるプログラムであって、前記コンピュータ装置は、前記電子ペンの各々から、前記検知信号を受信する受信手段、前記電子ペンの各々から送信された前記検知信号に基づき、全ての前記電子ペンの前記タッチパネル用ペン部のペン先が前記収納状態であると判断した場合、前記タッチパネルによる入力機能をオフにし、いずれかの前記電子ペンの前記タッチパネル用ペン部のペン先が前記突出状態であると判断した場合、前記電子ペンの電子ペン部による記入位置から所定範囲内における前記タッチパネルへの入力の処理を制限する制御を行う処理手段として前記コンピュータ装置を機能させる。
【００３１】
本発明に係るプログラムのさらに別の態様では、請求項３乃至５のいずれか一項に記載の電子ペンと、電子ペンで読取り可能なコード化パターンが形成されたコード化パターン層が積層されたタッチパネルと、前記タッチパネルと通信可能であり、当該タッチパネルによる入力と、前記電子ペン部による入力とが可能なコンピュータ装置と、前記コンピュータ装置から送信された画像信号に基づく表示画面を前記タッチパネルに投影するプロジェクタとを備える入力システムであって、前記電子ペンは、前記電子ペン部のペン先が前記突出状態か又は前記収納状態かを示す検知信号を前記コンピュータ装置に送信する送信手段をさらに備える入力システムの前記コンピュータ装置により実行されるプログラムであって、前記電子ペンから、前記検知信号を受信する受信手段、前記検知信号に基づき、前記電子ペン部のペン先が前記突出状態であると判断した場合、前記タッチパネルによる入力機能を制限する処理手段として前記コンピュータ装置を機能させる。
【００３２】
本発明に係るプログラムのさらに別の態様では、請求項３乃至５のいずれか一項に記載の複数の電子ペンと、電子ペンで読取り可能なコード化パターンが形成されたコード化パターン層とが積層されたタッチパネルと、前記タッチパネルと通信可能であり、当該タッチパネルによる入力と、前記電子ペン部による入力とが可能なコンピュータ装置と、前記コンピュータ装置から送信された画像信号に基づく表示画面を前記タッチパネルに投影するプロジェクタとを備える入力システムであって、前記電子ペンは、前記電子ペン部のペン先が前記突出状態か又は前記収納状態かを示す検知信号を前記コンピュータ装置に送信する送信手段をさらに備える入力システムの前記コンピュータ装置により実行されるプログラムであって、前記電子ペンの各々から、前記検知信号を受信する受信手段、前記電子ペンの各々から送信された前記検知信号に基づき、全ての前記電子ペンの前記電子ペン部のペン先が前記突出状態であると判断した場合、前記タッチパネルによる入力機能をオフにし、いずれかの前記電子ペンの前記電子ペン部のペン先が前記収納状態であると判断した場合、前記電子ペンの電子ペン部による記入位置から所定範囲内における前記タッチパネルへの入力の処理を制限する制御を行う処理手段として前記コンピュータ装置を機能させる。
【００３３】
本発明に係るプログラムのさらに別の態様では、請求項３乃至５のいずれか一項に記載の複数の電子ペンと、電子ペンで読取り可能なコード化パターンが形成されたコード化パターン層とが積層されたタッチパネルと、前記タッチパネルと通信可能であり、当該タッチパネルによる入力と、前記電子ペン部による入力とが可能なコンピュータ装置と、前記コンピュータ装置から送信された画像信号に基づく表示画面を前記タッチパネルに投影するプロジェクタとを備える入力システムであって、前記電子ペンは、前記タッチパネル用ペン部のペン先が前記突出状態か又は前記収納状態かを示す検知信号を前記コンピュータ装置に送信する送信手段をさらに備える入力システムの前記コンピュータ装置により実行されるプログラムであって、前記電子ペンの各々から、前記検知信号を受信する受信手段、前記電子ペンの各々から送信された前記検知信号に基づき、全ての前記電子ペンの前記タッチパネル用ペン部のペン先が前記収納状態であると判断した場合、前記タッチパネルによる入力機能をオフにし、いずれかの前記電子ペンの前記タッチパネル用ペン部のペン先が前記突出状態であると判断した場合、前記電子ペンの電子ペン部による記入位置から所定範囲内における前記タッチパネルへの入力の処理を制限する制御を行う処理手段として前記コンピュータ装置を機能させる。
【００３４】
上記プログラムの一態様では、前記処理手段は、前記コンピュータ装置に予め登録されている電子ペン、又は／及び、所定時間幅以内に前記コンピュータ装置が受信した前記記入情報を送信した電子ペンから送信された前記検知信号に基づき、前記制御を行うことを特徴とする。
【００３５】
これらのプログラムをコンピュータ装置にインストールして機能させることで、本発明に係るコンピュータ装置を構成させることができる。
【発明の効果】
【００３６】
本発明によれば、電子ペンは、記入情報を生成可能な電子ペン部と、ペン先がタッチパネルに当接した場合に、当該タッチパネルにより検知される構造を有するタッチパネル用ペン部とのいずれかのペン先を筺体から突出させることが可能である。従って、この構成によれば、ユーザは、当該電子ペンを用いることで、タッチパネルによる入力と電子ペン部による入力との両方を適切に実行することができる。
【００３７】
また、上記の電子ペンと、コンピュータ装置とを備える入力システムにおいて、電子ペンは、電子ペン部又はタッチパネル用ペン部のペン先が突出状態であるか否かを検知して、その検知信号をコンピュータ装置に送信し、コンピュータ装置は、当該検知信号に基づき、タッチパネルの機能を制限する。これにより、入力システムは、ユーザが電子ペン部による入力を行う場合に、タッチパネルが誤って入力を検知してしまうのを抑制することができる。
【図面の簡単な説明】
【００３８】
【図１】第１実施形態における入力システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの分解斜視図である。
【図５】図４の矢印「ＡＡ」、「ＡＢ」の方向に電子ペンを切断した場合の断面図を示す。
【図６】図４の矢印「ＢＡ」、「ＢＢ」の方向に電子ペンを切断した場合の断面図を示す。
【図７】第１実施形態の変形例１に係る電子ペンの概略構成図である。
【図８】第２実施形態に係る入力システムの構成を示す。
【図９】第２実施形態に係るディスプレイ装置の構成を示す。
【図１０】第２実施形態に係る電子ペンの断面図を示す。
【図１１】第２実施形態における処理フローを示すフローチャートである。
【図１２】変形例３に係る電子ペン部及びタッチパネル用ペン部近傍の構造を示す。
【図１３】第２実施形態の変形例４に係る入力システムのシステム構成図である。
【図１４】第３実施形態における入力システムのシステム構成図を示す。
【図１５】コンピュータ装置に登録されている電子ペンの各電子ペン部の状態を示す図である。
【図１６】第３実施形態におけるディスプレイ装置の表示画面を示す。
【図１７】タッチパネル入力処理モードを切り替える処理フローを示すフローチャートである。
【図１８】制限モード時での電子ペン部による入力に基づく処理フローを示すフローチャートである。
【図１９】電子ペンとＤＯＬとの位置関係と、各位置関係の場合にコンピュータ装置へ送信される記入情報の内容とを示す図である。
【発明を実施するための形態】
【００３９】
以下、図面を参照しながら、本発明の実施の形態である第１実施形態乃至第３実施形態について順に説明する。
【００４０】
＜第１実施形態＞
まず、本発明に係る第１実施形態について説明する。
【００４１】
［入力システムの構成］
図１は、第１実施形態に係る入力システムの構成を示す。図１に示すように、入力システムは、ユーザが使用する電子ペン１と、タッチパネルが積層されたディスプレイ装置３を備えたコンピュータ装置２と、ドットパターンが印刷された記入用紙４とを備える。入力システムは、後述するように、電子ペン１の電子ペン部１０４に基づく入力（「電子ペン入力」とも呼ぶ。）と、電子ペン１のタッチパネル用ペン部１１４を用いたタッチパネル３４に基づく入力（「タッチパネル入力」とも呼ぶ。）とが可能である。
【００４２】
（記入用紙）
まず、記入用紙（電子ペン用用紙）４について説明する。記入用紙４には、プリンターにより、その略全面に後述する位置座標を示すドットパターン（コード化パターン）が印刷される。ドットパターンは、電子ペン１により読み取ることができるように赤外線を吸収するカーボンを含んだインクにより印刷される。また、記入用紙４には、絵柄や罫線等のイメージ画像が印刷されていてもよい。この場合、イメージ画像は、印刷されたドットパターンの上に、電子ペン１によるドットパターンの読み取りを疎外しないよう、赤外域に吸収性を持たないインクにより印刷される。なお、イメージ画像の上に、ドットパターンが印刷されてもよい。
【００４３】
（ドットパターン）
続いて、ドットにより構成されるドットパターン（コード化パターン）について図２及び図３を用いて説明する。ドットパターンは、アノト社の方式によるものである。図２は、ドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、記入用紙４上の位置座標が決定されるよう構成されている。
【００４４】
図３（ａ）は、あるドットパターンの配列を示している。図３（ａ）に示すように、縦横約２ｍｍの範囲内に６×６個のドットが、記入用紙４上のどの部分から６×６ドットを取ってもユニークなパターンとなるように配置されている。これら３６個のドットにより形成されるドットパターンは位置座標（例えば、そのドットパターンが記入用紙４上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００４５】
（電子ペン）
次に、電子ペン１の構造について図４〜図６を用いて説明する。図４は、電子ペン１の分解斜視図である。また、図５は、図４の矢印「ＡＡ」、「ＡＢ」の方向に電子ペン１を切断した場合の断面図を示し、図６は、図４の矢印「ＢＡ」、「ＢＢ」の方向に電子ペン１を切断した場合の断面図を示す。電子ペン１は、ノック操作により、電子ペン部１０４のペン先部１０３と、タッチパネル用ペン部１１４のペン先部１１３とのいずれかを開口部１０２から突出させることが可能な複合式のペンである。
【００４６】
ペン部側筺体１０１Ａ及びノック操作側筺体１０１Ｂは、本発明における「筺体」の一例であり、基板１００、電子ペン部１０４、タッチパネル用ペン部１１４、ノック操作部１２９、１３９などを収納する。そして、ペン部側筺体１０１Ａはスレッド部１１５と螺合し、ノック操作側筺体１０１Ｂはガイド部１１６と螺合することで、ペン部側筺体１０１Ａとノック操作側筺体１０１Ｂとが一体に固定される。
【００４７】
図４に示すように、電子ペン部１０４は、ペン先部１０３と反対に位置する端部と嵌合するバネ１２０を介してノック操作部１２９と接続する。同様に、タッチパネル用ペン部１１４は、ペン先部１１３と反対に位置する端部と嵌合するバネ１３０を介してノック操作部１３９と接続する。また、ノック操作部１２９の突出部１２１は、電子ペン１の長手方向に延在するスリット部１２２から突出する。同様に、ノック操作部１３９の突出部１３１は、電子ペン１の長手方向に延在するスリット部１３２から突出する。
【００４８】
また、ノック操作側筺体１０１Ｂには、図５に示すようにストッパ１２５が設けられている。ストッパ１２５は、操作により突出部１２１が開口部１０２の方向（単に「ペン先方向」とも呼ぶ。）に押し出された場合に、ノック操作部１２９の溝部１２８に端部が嵌め込まれ、ノック操作部１２９を固定する。この場合、ペン先部１０３は、開口部１０２に対して突出した状態（単に「突出状態」とも呼ぶ。）となる。同様に、ストッパ１２５は、操作により突出部１３１がペン先方向に押し出された場合に、ノック操作部１３９の溝部１３８に端部が嵌め込まれ、ノック操作部１３９を固定する。この場合、ペン先部１１３は、突出状態となる。
【００４９】
また、図５に示すように、ペン先部１０３が突出状態の場合に、突出部１３１をペン先方向に押し出す操作（ノック操作）が行われた場合、ノック操作部１３９の隆起部１３３、１３４がノック操作部１２９をスリット部１２２の方向に押し出す。これにより、溝部１２８からストッパ１２５の端部が外れる。従って、この場合には、バネ１２０の復元力により、ノック操作部１２９は、ペン先方向と逆方向に付勢されてストッパ１２５に沿って移動し、ペン先部１０３がペン部側筺体１０１Ａ内に収納された状態（単に、「収納状態」とも呼ぶ。）となる。同様に、ペン先部１１３が突出状態の場合に、突出部１２１をペン先方向に押し出す操作（ノック操作）が行われた場合、ノック操作部１２９の隆起部１２３、１２４がノック操作部１３９をスリット部１３２の方向に押し出す。これにより、溝部１３８からストッパ１２５の端部が外れる。従って、この場合には、バネ１３０の復元力により、ノック操作部１３９は、ペン先方向と逆方向に付勢されてストッパ１２５に沿って移動し、ペン先部１１３は収納状態となる。
【００５０】
以上のように、電子ペン１は、ノック操作により、電子ペン部１０４のペン先部１０３が突出状態かつタッチパネル用ペン部１１４のペン先部１１３が収納状態となる状態（第１の状態）、ペン先部１０３が収納状態かつペン先部１１３が突出状態となる状態（第２の状態）、又は、ペン先部１０３が収納状態かつペン先部１１３が収納状態となる状態（第３の状態）のいずれかの状態に切り替わる。そして、ノック操作部１２９、１３９、バネ１２０、１３０、及びストッパ１２５は、本発明における「ペン先遷移機構」の一例である。
【００５１】
次に、電子ペン部１０４について具体的に説明する。電子ペン部１０４の先端は、プラスチックやステンレスなどの素材により形成されたペン先部１０３となっており、ユーザは、電子ペン部１０４のペン先部１０３を記入用紙４上に当接させて、ストローク（手書きストローク）を記入する。ここで、ペン先部１０３が記入用紙４に最初に接触することをペンダウンと呼び、接触している（当接している）状態からペン先部１０３が離れることをペンアップと呼ぶ。ペン先部１０３のペンダウンからペンアップまでの間に記入される軌跡が１つのストロークとなり、文字や図形等は、１つ又は複数個のストロークからなる。また、好適には、電子ペン部１０４の内部には、インクカートリッジが装填されている。これにより、電子ペン部１０４は、ボールペンとしても機能し、記入用紙４への書き込み後、記入内容が記入用紙４上でユーザに視認可能となる。
【００５２】
さらに、電子ペン部１０４には、圧力センサ１０７が設けられている。圧力センサ１０７は、ユーザがペン先部１０３を開口部１０２から突出させて、記入用紙４等に文字やマークを書いたりタップしたりする際にペン先部１０３から伝達される圧力、即ち筆圧を検出し、その値を後述するプロセッサ１０８へ伝送する。
【００５３】
次に、タッチパネル用ペン部１１４について説明する。タッチパネル用ペン部１１４のペン先部１１３は、タッチパネルで検出可能な構造を有する。具体的には、ディスプレイ装置３に積層されたタッチパネルが静電容量方式の場合には、タッチパネル用ペン部１１４は、導電性材料により形成される。一方、当該タッチパネルが電磁誘導方式の場合には、タッチパネル用ペン部１１４の内部には、コイルや共振回路が内蔵される。
【００５４】
次に、基板１００に載置される各要素について図６を参照して説明する。基板部１００には、主に、ＬＥＤ１０５、ＣＭＯＳカメラ１０６、ＣＰＵ等により構成されるプロセッサ１０８、ＲＯＭやＲＡＭといったメモリ１０９、リアルタイムクロック１１０、アンテナ等により構成される通信ユニット１１１が設けられている。
【００５５】
リアルタイムクロック１１０は、現在時刻（タイムスタンプ）を示す時刻情報を発信し、プロセッサ１０８に供給する。
【００５６】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン部１０４のペン先部１０３を突出状態にして記入用紙４上に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１の識別情報（以後、「ペンＩＤ」と呼ぶ。）とを関連付けて、記入情報としてコンピュータ装置２へ送信する。また、ユーザが１つのストロークを記入し終えて電子ペン部１０４のペン先部１０３を記入用紙４から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置２へ送信する。
【００５７】
ＬＥＤ１０５とＣＭＯＳカメラ１０６は、電子ペン１のペン先部１０３付近に取り付けられており、ペン部側筐体１０１ＡにおけるＬＥＤ１０５及びＣＭＯＳカメラ１０６と対向する部分には、開口部１０２が形成されている。ＬＥＤ１０５は、記入用紙４上のペン先部１０３近傍に向けて赤外線を照明する。その領域は、ペン先部１０３が記入用紙４に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、記入用紙４のドットのインク素材は、赤外線を吸収するため、ＬＥＤ１０５によって照射された赤外線は、ドットによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。また、ＣＭＯＳカメラ１０６は、ドットを鮮明に撮影するため、十分な被写界深度を有している。
【００５８】
プロセッサ１０８は、ユーザの記入が行われる間、ＣＭＯＳカメラ１０６によって供給される画像データのドットパターンから、ユーザが記入するストローク（筆跡）の記入用紙４におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上における配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、記入用紙４における６×６のドットパターンは、記入用紙４内で重複することはないため、ユーザが電子ペン１で文字等を記入すると、記入された位置が記入用紙４内のどの位置に当たるかを、プロセッサ１０８による座標演算により特定することができる。
【００５９】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置２に送信された１個又は複数個の座標属性情報は、コンピュータ装置２によりストローク情報として記憶される。換言すると、１つのストロークは、１個又は複数個のＸ、Ｙ座標（座標点）からなり、コンピュータ装置２は、ペンダウン情報及びペンアップ情報によって、１つのストロークを構成する１個又は複数個の座標属性情報を認識する。
【００６０】
（コンピュータ装置）
次に、コンピュータ装置２について再び図１を参照して説明する。コンピュータ装置２は、ハードウェアとして、電子ペン１とのデータ通信が可能なアンテナ装置、ＣＰＵ等のプロセッサ、ＲＯＭやＲＡＭといったメモリ、マウスやキーボード等で構成される。なお、コンピュータ装置２は、ディスプレイ装置３を表示部として備えるＰＣ（パーソナルコンピュータ）、ｉＰａｄ（登録商標）などのタブレットＰＣやＰＤＡ（Ｐｅｒｓｏｎａｌ  Ｄａｔａ  Ａｓｓｉｓｔａｎｃｅ）等で構成されてもよい。そして、コンピュータ装置２は、電子ペン１から受信した記入情報、及びディスプレイ装置３に積層されたタッチパネルから受信した入力情報（「タッチパネル入力情報」とも呼ぶ。）に基づいて所定の処理を行う。
【００６１】
［第１実施形態の入力システムによる作用効果］
第１実施形態の入力システムによれば、電子ペン１は、ユーザのノック操作に基づき、電子ペン部１０４のペン先部１０３が開口部１０２から突出した状態と、タッチパネル用ペン部１１４のペン先部１１３が開口部１０２から突出した状態との切り替えが可能である。従って、ユーザは、１つの電子ペン１により、タッチパネル入力と電子ペン入力との両方を適切に実行することができる。
【００６２】
［第１実施形態の変形例］
次に、第１実施形態の変形例について説明する。以下の変形例は、任意に組み合わせて上述の第１実施形態に適用してもよい。
【００６３】
（変形例１）
図４〜図６に示す電子ペン１は、ノック操作により、電子ペン部１０４及びタッチパネル用ペン部１１４の突出状態と収納状態とを切り替え可能なノック式の複合ペンであった。しかし、本発明が適用可能な構成は、これに限定されない。
【００６４】
図７は、第１実施形態の変形例１に係る電子ペン１の概略構成図である。図７に示すように、ペン部側筺体１０１Ａがノック操作側筺体１０１Ｂに対して、両矢印「Ｙｘ」の方向に回転することにより、電子ペン１は、第１の状態と、第２の状態と、第３の状態との間で遷移する。このように、ペン部側筺体１０１Ａの回転動作により、開口部１０２から突出するペン先部１０３、１１３が切り替わる態様であっても、電子ペン１により、好適に、タッチパネル入力及び電子ペン入力の両方を実行することができる。
【００６５】
（変形例２）
上記第１実施形態において、電子ペン、コード化パターン（ドットパターン）、記入情報の方式は、アノト方式に限られない。
【００６６】
＜第２実施形態＞
次に、第２実施形態について説明する。図８は、第２実施形態に係る入力システムの構成を示す。第２実施形態の入力システムは、主に、ディスプレイ装置３にドットパターンが形成された層が積層されている点、及び、ディスプレイ装置３のタッチパネル機能のオン及びオフを、電子ペン１から送信される電子ペン部１０４のペン先部１０３の状態を示す信号に基づき切り替える点で、第１実施形態の入力システムと異なる。その他、第１実施形態と同様の部分については、同一の符号を付し、適宜その説明を省略する。
【００６７】
図８に示すように、第２実施形態に係る入力システムは、ユーザが使用する電子ペン１と、電子ペン１及びディスプレイ装置３から情報を受信して処理するコンピュータ装置２と、コンピュータ装置２に接続されたディスプレイ装置３とを備える。入力システムは、後述するように、電子ペン入力と、タッチパネル入力とに応じて所定の処理を行う。
【００６８】
（ディスプレイ装置）
図９は、第２実施形態に係るディスプレイ装置３の構成を示す。図９に示すように、ディスプレイ装置３は、多層構造を有し、上層から順に、ドットパターンオーバーレイヤ（ドットパターン形成層）（単に「ＤＯＬ」とも呼ぶ。）３０と、タッチパネル３４と、ディスプレイパネル３５とを備える。
【００６９】
ＤＯＬ３０は、ディスプレイ装置３の最上層に配置される。ＤＯＬ３０は、ポリエチレンテレフタラートなどの透明樹脂基板である基材フィルム３３に、電子ペン１により読み取ることができるよう赤外線を反射する素材（酸化チタン、コレステリック液晶、赤外線反射性顔料など）を含んだインクによりドットパターン（コード化パターン）のドット３２が印刷され、さらに透明なＥＢ硬化樹脂などの保護層３１で保護された層構成を有している。ここで、ドットパターンを、赤外線を反射する素材で印刷しているのは、ＤＯＬ３０の下層にあるディスプレイパネル３５から様々な色の可視光が放射されても、電子ペン１によってコントラストよくドットパターンを認識させるのに、望ましいからである。ＤＯＬ３０は、本発明における「コード化パターン層」の一例である。
【００７０】
ＤＯＬ３０の裏面には、タッチパネル３４が接着されている。タッチパネル３４は、ＤＯＬ３０上での接触位置を検出する。タッチパネル３４は、例えば、抵抗膜方式タッチパネル、超音波方式タッチパネル、光学方式タッチパネル、静電容量方式タッチパネルなどである。
【００７１】
なお、本発明が適用可能なディスプレイ装置３の構成は、図９の構成に限定されない。これに代えて、ディスプレイ装置３は、ドットパターンと基材フィルム３３との間、あるいは基材フィルム３３とタッチパネル３４との間に赤外線反射層が設けられ、さらにドットパターンが赤外線を吸収するカーボンを含んだインクにより印刷される構成であってもよい。
【００７２】
また、タッチパネル３４が静電容量方式のタッチパネルである場合、ＤＯＬ３０のドット３２は、導電性を有しない素材、又はタッチパネル３４が検知する静電容量に影響を及ぼさない程度に導電性が低い素材により構成される。これにより、電子ペン１のタッチパネル用ペン部１１４によるタッチパネル入力に対する静電容量の変化を捉えやすくすることができる。
【００７３】
（電子ペン）
次に、第２実施形態に係る電子ペン１の構造について説明する。図１０は、図６に対応する第２実施形態に係る電子ペン１の断面図の一例である。
【００７４】
図１０に示すように、電子ペン１は、ノック検知部１４０を備える。ノック検知部１４０は、ノック操作部１２９、１３９へのノック操作により電子ペン部１０４のペン先部１０３が突出状態又は収納状態のいずれに遷移したかを検知する。例えば、ノック検知部１４０は、ペン先部１０３の状態を遷移させるノック操作が行われた場合、圧力センサ１０７の移動を検知することで、ペン先部１０３が突出状態又は収納状態のいずれに遷移したかを検知する。そして、ノック検知部１４０は、ペン先部１０３が突出状態であるか否かを示す検知信号（「ペン先状態検知信号Ｓｄ」とも呼ぶ。）をプロセッサ１０８へ伝送する。そして、プロセッサ１０８は、当該ペン先状態検知信号Ｓｄを、通信ユニット１１１によりコンピュータ装置２へ送信する。
【００７５】
また、好適には、電子ペン１は、ＣＭＯＳカメラ１０６がドットパターンを認識した際、ドットパターンが赤外線反射材で構成されているか、又は赤外線吸収材で構成されているか判断し、当該判断に基づきドットパターンの読み取りプログラムを切り替えてもよい。具体的には、電子ペン１は、まず、ＣＭＯＳカメラ１０６が撮影した画像に対して所定の閾値を用いて２値化処理を行い、当該２値化処理された画像より赤外線反射領域及び赤
外線吸収領域を判別し、赤外線反射領域の面積と赤外線吸収領域の面積との大小関係を比較する。そして、電子ペン１は、赤外線反射領域よりも赤外線吸収領域が大きい場合には、２値化処理された画像に対してネガポジ反転処理を行い、ネガポジ反転処理を行った場合にはネガポジ反転処理された画像に基づいてドットパターンを認識し、ネガポジ反転処理を行わなかった場合には２値化処理された画像に基づいてドットパターンを認識する。
これにより、赤外線吸収性のインクにより印刷されたドットパターン及び赤外線反射性のインキにより印刷されたドットパターンの両方を適切に認識することが可能となる。
【００７６】
（コンピュータ装置）
次に、第２実施形態のコンピュータ装置２について再び図８を参照して説明する。第２実施形態のコンピュータ装置２は、図８に示すように、機能的には、マウスやキーボードといった入力手段２１、受信手段２２、処理手段２４、記憶手段２５を備える。そして、コンピュータ装置２は、電子ペン１から受信した記入情報、及びタッチパネル３４から受信したタッチパネル入力情報に基づいて所定の処理を行うものである。
【００７７】
受信手段２２は、アンテナ受信回路等により構成され、電子ペン１から記入情報を受信し、処理手段２４に伝送する。また、コンピュータ装置２は、ＤＯＬ３０に形成されたドットパターンにかかる座標系（「ＤＯＬ座標系」とも呼ぶ。）をディスプレイパネル３５にかかる座標系（「ディスプレイ座標系」とも呼ぶ。）に変換するための第１座標変換関数、及び、タッチパネル３４にかかる座標系（「タッチパネル座標系」とも呼ぶ。）をディスプレイ座標系に変換するための第２座標変換関数、をそれぞれ求めるキャリブレーション処理機能を有している。さらに、コンピュータ装置２は、そのキャリブレーション処理により求められた第１座標変換関数を用いて、ＤＯＬ座標系のデータを受信したときに、ディスプレイ座標系のデータに変換し、ストロークを描画したり、所定の処理を行ったりする機能、及び、第２座標変換関数を用いて、タッチパネル座標系のデータを受信した
ときに、ディスプレイ座標系のデータに変換し、アイコンの選択等の所定の処理を行う機能を有している。
【００７８】
処理手段２４は、ＣＰＵ等のプロセッサによって構成され、コンピュータ装置２の全体の制御を行う。具体的には、処理手段２４は、ディスプレイパネル３５へコンピュータ装置２により生成された画像信号を送信して当該画像信号に相当する画像を表示させる。また、処理手段２４は、上記キャリブレーション処理機能により求めた第１座標変換関数及び第２座標変換関数を記憶手段２５に記憶する。
【００７９】
コンピュータ装置２が電子ペン１から記入情報を受信すると、処理手段２４の第１座標変換手段２４１は、ＤＯＬ座標系のデータである、当該記入情報に含まれる座標データを、第１座標変換関数を用いて、ディスプレイ座標系のデータに変換する。そして、処理手段２４は、変換後の座標データに基づいて、電子ペン１によって記入された位置が、ＤＯＬ３０のドットパターンであることを認識する。そして、処理手段２４は、変換後の座標データを記憶手段２５に記憶するとともに、当該変換後の座標データ等に基づくストロークをディスプレイパネル３５に表示させたり、ストロークの該当する位置にフォルダやアプリケーション等のアイコンが表示されていた場合には、当該アイコンの選択等の処理を行ったりする。
【００８０】
また、コンピュータ装置２がタッチパネル３４からタッチパネル入力情報を受信すると、処理手段２４の第２座標変換手段２４２は、タッチパネル入力情報が示すタッチパネル座標系の座標データを、第２座標変換関数を用いて、ディスプレイ座標系のデータに変換する。そして、処理手段２４は、ディスプレイパネル３５が表示中の画像において、変換後の座標データ上にフォルダやアプリケーション等のアイコンが表示されていた場合には、当該アイコンの選択等の処理を行う。
【００８１】
処理手段２４のタッチパネル機能切替手段２４３は、受信手段２２が電子ペン１から受信したペン先状態検知信号Ｓｄに基づき、タッチパネル３４の入力機能のオン及びオフを切り替える。具体的には、タッチパネル機能切替手段２４３は、ペン先状態検知信号Ｓｄが、電子ペン部１０４のペン先部１０３が突出状態であることを示す場合、タッチパネル３４の入力機能をオフにする。即ち、この場合、タッチパネル機能切替手段２４３は、電子ペン入力が行われる可能性が高いと判断し、電子ペン入力を優先し、タッチパネル３４への誤入力を防止する。このとき、タッチパネル機能切替手段２４３は、タッチパネル３４が停止状態になるように、タッチパネル３４に制御信号を送信してもよく、または、タッチパネル３４の入力機能をオフにしている間は、タッチパネル３４から送信されるタッチパネル入力情報を処理手段２４で処理することなく破棄してもよい。
【００８２】
一方、タッチパネル機能切替手段２４３は、ペン先状態検知信号Ｓｄが、電子ペン部１０４のペン先部１０３がペン部側筺体１０１Ａに収納された収納状態であることを示す場合、タッチパネル３４の入力機能をオンにする。そして、タッチパネル３４の入力機能をオンにしている間は、処理手段２４は、タッチパネル入力があった場合には、タッチパネル３４から受信するタッチパネル入力情報に基づき所定の処理を行う。
【００８３】
記憶手段２５は、ＲＯＭやＲＡＭといったメモリによって構成される。記憶手段２５は、第１座標変換関数及び第２座標変換関数を記憶する。また、記憶手段２５は、処理手段２４の処理命令により、電子ペン１から受信した記入情報をペンＩＤ毎に記憶したり、プログラムの実行により生成される所定のデータを記憶したりする。
【００８４】
［処理フロー］
次に、第２実施形態の入力システムにおいて、コンピュータ装置２が実行する処理フローについて説明する。図１１は、第２実施形態において、コンピュータ装置２が実行する処理フローを示すフローチャートである。図１１に示す処理フローは、例えば所定の周期に従い繰り返し実行される。
【００８５】
ユーザが、ペン先部１０３の状態を遷移させるノック操作を行うと、電子ペン１は、ノック検知部１４０により、電子ペン部１０４のペン先部１０３の移動を検知する（ステップＳ１０１）。そして、電子ペン１は、ノック検知部１４０が生成したペン先状態検知信号Ｓｄをコンピュータ装置２へ送信する（ステップＳ１０２）。
【００８６】
コンピュータ装置２では、受信手段２２が、電子ペン１から送信されたペン先状態検知信号Ｓｄを受信すると（ステップＳ２０１）、処理手段２４は、受信したペン先状態検知信号Ｓｄに基づき、電子ペン部１０４のペン先部１０３が開口部１０２から突出した突出状態に遷移したか否か判定する（ステップＳ２０２）。そして、電子ペン部１０４のペン先部１０３が突出状態の場合（ステップＳ２０２；Ｙｅｓ）、処理手段２４のタッチパネル機能切替手段２４３は、タッチパネル３４による入力機能をオフにする（ステップＳ２０３）。これにより、コンピュータ装置２は、電子ペン入力が行われる可能性が高いと推定される場合に、電子ペン入力を優先し、タッチパネル３４への誤入力を防止する。
【００８７】
一方、電子ペン部１０４のペン先部１０３が突出状態でない場合（ステップＳ２０２；Ｎｏ）、処理手段２４は、電子ペン部１０４のペン先部１０３がペン部側筺体１０１Ａ内に収納された収納状態であると特定する（ステップＳ２０４）。そして、処理手段２４のタッチパネル機能切替手段２４３は、タッチパネル３４による入力機能をオンにする（ステップＳ２０５）。そして、処理手段２４は、タッチパネル入力があった場合には、タッチパネル３４から受信するタッチパネル入力情報に基づき所定の処理を行う。
【００８８】
［第２実施形態の入力システムによる作用効果］
第２実施形態の入力システムによれば、電子ペン１は、ノック検知部１４０を備え、ノック操作に基づく電子ペン部１０４のペン先部１０３の状態変化を検知した場合に、コンピュータ装置２に対しペン先状態検知信号Ｓｄを送信する。そして、コンピュータ装置２は、受信したペン先状態検知信号Ｓｄにより、電子ペン部１０４のペン先部１０３が突出状態であると判断した場合には、タッチパネル３４の入力機能をオフにする。このようにすることで、入力システムは、電子ペン入力が行われる可能性が高い場合に、電子ペン入力を優先し、タッチパネル３４の誤入力を防ぐことができる。従って、入力システムは、電子ペン入力中に、電子ペン部１０４のペン先部１０３がＤＯＬ３０上に接触することに起因したタッチパネル入力の誤検出や、電子ペン入力中に電子ペン１を把持する手の側部等がＤＯＬ３０に接触することに起因したタッチパネル入力の誤検出等を防ぐことができる。
【００８９】
［第２実施形態の変形例］
次に、第２実施形態の変形例について説明する。第２実施形態では、第１実施形態の変形例１及び変形例２に加え、以下の変形例３及び変形例４を任意に組み合わせて適用可能である。
【００９０】
（変形例３）
図１０の説明では、ノック検知部１４０は、圧力センサ１０７の移動を検出することで、ペン先部１０３が突出状態か収納状態かを検出した。しかし、本発明が適用可能な構成は、これに限定されない。
【００９１】
図１２は、変形例３に係る電子ペン部１０４及びタッチパネル用ペン部１１４に設けられた構造を示す。図１２に示すように、電子ペン部１０４は、８字型回動部１５１の孔１５２を通る位置に延在し、かつ、孔１５２よりも大きなナット状の形状を有するナット状部材１５５が、孔１５２よりもバネ１２０側の電子ペン部１０４に固定されている。同様に、タッチパネル用ペン部１１４は、８字型回動部１５１に設けられた孔１５３を通る位置に延在し、かつ、孔１５３よりも大きなナット状の形状を有するナット状部材１５６が、孔１５３よりもバネ１３０側のタッチパネル用ペン部１１４に固定されている。また、８字型回動部１５１は、基板１００に設けられたロータリースイッチに相当するノック検出部１４０と連通した軸部１５０を回動軸として、軸部１５０と共に回動する。
【００９２】
そして、ノック操作により、電子ペン部１０４がペン先方向へ移動した場合、８字型回動部１５１の孔１５２の形成部分がナット状部材１５５によりペン先方向へ押し出され、８字型回動部１５１は、矢印「Ｙ１」の方向に軸部１５０と共に回動する。この場合、ロータリースイッチであるノック検知部１４０は、軸部１５０の状態（位相）に基づき、電子ペン部１０４が突出状態であることを検知する。一方、ノック操作により、タッチパネル用ペン部１１４がペン先方向へ移動した場合、８字型回動部１５１の孔１５３の形成部分がナット状部材１５６によりペン先方向へ押し出され、８字型回動部１５１は、矢印「Ｙ２」の方向に軸部１５０と共に回動する。この場合、ノック検知部１４０は、軸部１５０の状態（位相）に基づき、タッチパネル用ペン部１１４が突出状態であり、電子ペン部１０４が収納状態であることを検知する。なお、電子ペン部１０４及びタッチパネル用ペン部１１４が共に収納状態の場合には、８字型回動部１５１及び軸部１５０は、矢印Ｙ１及び矢印Ｙ２のいずれの方向にも傾いていない平衡状態となる。この場合、ノック検知部１４０は、軸部１５０の位相に基づき、タッチパネル用ペン部１１４のペン先部１１３及び電子ペン部１０４のペン先部１０３が共に収納状態であることを検知する。
【００９３】
他の例では、ノック検知部１４０は、歪ゲージであってもよい。この場合、ノック検知部１４０は、圧力センサ１０７と基板１００のプロセッサ１０８とを接続する図示しない導線に設けられる。そして、ノック検知部１４０は、電子ペン部１０４のペン先方向及びその反対方向への移動に基づく導線の歪み（伸縮）の変化を検出し、電子ペン部１０４のペン先部１０３の突出状態及び収納状態を検知する。
【００９４】
（変形例４）
図８及び図９では、ＤＯＬ３０及びタッチパネル３４は、ディスプレイパネル３５に積層されていた。しかし、本発明が適用可能な入力システムの構成は、これに限定されない。
【００９５】
図１３は、第２実施形態の変形例４に係る入力システムのシステム構成図である。図１３に示すように、第２実施形態の変形例４に係る入力システムは、コンピュータ装置２のディスプレイの表示画面と同じ画像をＤＯＬ３０上に投影するプロジェクタ６を備える。また、ＤＯＬ３０及びタッチパネル３４は、コンピュータ装置２のディスプレイと離れた位置に積層されて配置されている。また、タッチパネル３４は、コンピュータ装置２と接続し、タッチパネル入力情報をコンピュータ装置２へ送信する。なお、図１３に示すプロジェクタ６は、フロントプロジェクタであるが、リアプロジェクタであってもよい。また、ＤＯＬ３０またはタッチパネル３４を構成する層に、投影された光を結像拡散する結像拡散層を採用するか、ＤＯＬ３０やタッチパネル３４とは別に、結像拡散層を積層させるとよい。
【００９６】
このように、ＤＯＬ３０及びタッチパネル３４がディスプレイに積層されていない構成であっても、コンピュータ装置２の処理手段２４は、電子ペン１から受信した記入情報に含まれるＤＯＬ座標系の座標情報を、記憶手段２５により記憶された第１座標変換関数を用いて、ディスプレイ座標系の座標情報に変換し、電子ペン１の入力処理を行う。また、処理手段２４は、タッチパネル３４から受信したタッチパネル入力情報が示すタッチパネル座標系座標情報を、記入手段２５により記憶された第２座標変換関数を用いて、ディスプレイ座標系の座標情報に変換し、タッチパネル３４の入力処理を行う。さらに、電子ペン１は、ユーザのノック操作に基づき、ペン先状態検知信号Ｓｄを生成し、コンピュータ装置２へ送信する。処理手段２４は、受信したペン先状態検知信号Ｓｄに基づき、タッチパネル３４の入力機能のオン及びオフを切り替える。
【００９７】
この構成によっても、入力システムは、好適に、電子ペン入力と、タッチパネル入力とを処理し、かつ、ユーザの任意のタイミングでタッチパネル３４の入力機能を制限し、タッチパネル３４の誤入力を防ぐことができる。
【００９８】
＜第３実施形態＞
次に、第３実施形態について説明する。図１４は、第３実施形態における入力システムのシステム構成図を示す。第３実施形態では、ディスプレイ装置３へ入力を行う電子ペン１が複数存在する点、タッチパネル機能切替手段２４３に代えて、タッチパネル入力が有効な期間及び範囲を制限するタッチパネル機能制限手段２４４を備える点、及び、電子ペン部１０４のペン先部１０３が突出状態の間はＬＥＤ１０５及びＣＭＯＳカメラ１０６が常にオンに設定される点で第２実施形態と異なる。その他、第２実施形態と同様の部分については、同一の符号を付し、適宜その説明を省略する。
【００９９】
第３実施形態では、電子ペン１のプロセッサ１０８は、圧力センサ１０７から与えられる筆圧データによらず、ノック検知部１４０から送信されるペン先状態検知信号Ｓｄに基づき、ペン先部１０３が突出状態であると判断した場合にはＬＥＤ１０５及びＣＭＯＳカメラ１０６を常時駆動させる。従って、電子ペン部１０４のペン先部１０３がドットパターンに近接して、プロセッサ１０８がＣＭＯＳカメラ１０６によって供給される画像データからドットパターンのＸ，Ｙ座標を演算できるようになると、プロセッサ１０８は、ペン先部１０３がＤＯＬ３０に接触する前であっても、筆圧を０（ゼロ）とした記入情報を生成する。そして、プロセッサ１０８は、生成した記入情報を、通信ユニット１１１を介して、コンピュータ装置２へ送信する。
【０１００】
そして、コンピュータ装置２がペン先状態検知信号Ｓｄを受信すると、処理手段２４のタッチパネル機能制限手段２４４は、各電子ペン１から送信されるペン先状態検知信号Ｓｄに基づき、タッチパネル３４の入力機能の切り替えを行う。具体的には、タッチパネル機能制限手段２４４は、予めコンピュータ装置２に登録された各電子ペン１のペン先部１０３の状態を、各電子ペン１から送信されるペン先状態検知信号Ｓｄに基づき常に監視する。そして、タッチパネル機能制限手段２４４は、コンピュータ装置２に登録された全ての電子ペン１のペン先部１０３が突出状態である場合にはタッチパネル機能をオフに設定し、それ以外の場合に、後述する制限モードによりタッチパネル入力を処理する。これについて、図１５（ａ）、（ｂ）を参照して具体的に説明する。
【０１０１】
図１５（ａ）、（ｂ）は、ペンＩＤが「００１」〜「００３」の電子ペン１がコンピュータ装置２に登録されている場合の各電子ペン１の電子ペン部１０４の状態を例示する図である。図１５（ａ）では、ペンＩＤが「００１」の電子ペン１、ペンＩＤが「００２」の電子ペン１、及びペンＩＤが「００３」の電子ペン１の全てのペン先部１０３が突出状態となっている。この場合には、タッチパネル機能制限手段２４４は、これらの電子ペン１の全ユーザが電子ペン入力を行うと判断し、意図しないタッチパネル入力を抑制するため、タッチパネル機能をオフにする。
【０１０２】
一方、図１５（ｂ）では、ペンＩＤが「００２」の電子ペン１の電子ペン部１０４が収納状態となっている。この場合には、タッチパネル機能制限手段２４４は、ペンＩＤが「００２」の電子ペン１のユーザがタッチパネル入力を行う可能性があると判断し、タッチパネル３４の入力機能を後述する制限モードとする。
【０１０３】
次に、制限モード時のタッチパネル入力の処理について具体的に説明する。処理手段２４のタッチパネル機能制限手段２４４は、コンピュータ装置２が電子ペン１から記入情報を受信している間、記入情報の座標情報が示す電子ペン部１０４のペン先位置（「電子ペン入力位置」とも呼ぶ。）から所定範囲内でのタッチパネル３４の入力機能をオフにする。そして、処理手段２４は、電子ペン入力位置が変化した場合には、変化後の電子ペン入力位置に基づき、タッチパネル３４の入力機能をオフにする範囲を定める。以後では、電子ペン入力位置に基づき、タッチパネル３４の入力機能をオフにする範囲を「制限範囲Ｗｒ」とも呼ぶ。
【０１０４】
タッチパネル３４の入力機能が制限モードである場合のタッチパネル機能制限手段２４４の具体的な処理についてさらに図１６を参照して説明する。図１６は、第３実施形態におけるディスプレイ装置３の表示画面の一例である。
【０１０５】
図１６では、ユーザがＤＯＬ３０上に電子ペン部１０４のペン先部１０３を当接させている。この場合、処理手段２４は、電子ペン１から受信した記入情報に含まれる座標データを、第１座標変換関数を用いて、ディスプレイ座標系の座標データに変換し、当該座標データの位置を電子ペン入力位置に定める。そして、処理手段２４は、当該電子ペン入力位置を中心とした半径Ｒの円領域を制限範囲Ｗｒに定め、制限範囲Ｗｒでのタッチパネル３４の入力機能をオフにし、制限範囲Ｗｒ以外の領域でのタッチパネル３４の入力機能をオンにする。上述の半径Ｒは、例えば１０ｃｍ〜１５ｃｍに定められ、具体的には、ＤＯＬ３０上で電子ペン部１０４による入力を行う場合に、電子ペン入力位置から、当該電子ペン１を把持する手の側部がＤＯＬ３０上で接触する可能性がある位置までの最大距離を予め実験等によって求めて、半径Ｒを当該最大距離に定める。
【０１０６】
また、処理手段２４は、電子ペン入力位置が変化した場合には、変化後の電子ペン入力位置に基づき新たに制限範囲Ｗｒを定め、その範囲でのタッチパネル３４の入力機能をオフにする。したがって、電子ペン部１０４によってストロークが描かれている間は、電子ペン入力位置の移動に伴って、制限範囲Ｗｒも移動する。さらに、処理手段２４は、複数の電子ペン１から記入情報を受信している場合には、それぞれの電子ペン１に対応した制限範囲Ｗｒを設ける。具体的には、処理手段２４は、この場合、各電子ペン１の記入情報に基づき、それぞれの電子ペン入力位置を特定し、当該電子ペン入力位置に基づき制限範囲Ｗｒを定める。この場合、制限範囲Ｗｒは、各電子ペン入力位置を中心とした半径Ｒの円領域をあわせたＤＯＬ３０上の領域となる。
【０１０７】
［処理フロー］
次に、第３実施形態の入力システムにおいて、コンピュータ装置２によるタッチパネル３４の入力機能を切り替える処理フロー、及び制限モード時での電子ペン入力に基づく処理フローについて説明する。
【０１０８】
（タッチパネル入力機能の切り替え）
図１７は、タッチパネル３４の入力機能を切り替える処理フローを示すフローチャートである。図１７に示す処理フローは、コンピュータ装置２が電子ペン１からペン先状態検知信号Ｓｄを受信するごとに、又は、所定の周期で繰り返し実行される。
【０１０９】
まず、処理手段２４のタッチパネル機能制限手段２４４は、各電子ペン１から送信されたペン先状態検知信号Ｓｄに基づき、登録された電子ペン１の全ての電子ペン部１０４のペン先部１０３が突出状態であるか否か判定する（ステップＳ３０１）。そして、登録された電子ペン１の全ての電子ペン部１０４のペン先部１０３が突出状態である場合（ステップＳ３０１；Ｙｅｓ）、タッチパネル機能制限手段２４４は、コンピュータ装置２に登録された電子ペン１のユーザ全員が電子ペン入力を行う意思があると判断し、タッチパネル機能をオフに設定する（ステップＳ３０２）。これにより、タッチパネル機能制限手段２４４は、意図しないタッチパネル入力を抑制する。
【０１１０】
一方、コンピュータ装置２に登録された電子ペン１のうち、いずれかの電子ペン１の電子ペン部１０４のペン先部１０３が収納状態である場合（ステップＳ３０１；Ｎｏ）、タッチパネル機能制限手段２４４は、タッチパネル機能を制限モードにする（ステップＳ３０２）。これにより、タッチパネル機能制限手段２４４は、電子ペン入力を行わないユーザのタッチパネル入力を受け付けると共に、電子ペン入力中に電子ペン１を把持する手の側部がＤＯＬ３０上で接触した場合であっても、タッチパネル入力として処理するのを抑制する。
【０１１１】
（制限モードでの処理）
図１８は、制限モード時での電子ペン入力に基づく処理フローを示すフローチャートである。図１８に示す処理フローは、コンピュータ装置２が電子ペン１により筆圧０の記入情報を受信するごとに繰り返し実行される。なお、図１８に示す処理フローは、同時に複数の電子ペン１により記入情報が生成された場合には、電子ペン１のペンＩＤごとに並行して実行される。
【０１１２】
ユーザが、電子ペン１をＤＯＬ３０に対しドットパターンを読み取り可能な位置まで近接させると、電子ペン１は、ドットパターンが撮像されて演算された座標情報を含む座標属性情報とペンＩＤとが関連付けられた筆圧０の記入情報をコンピュータ装置２へ送信する。そして、コンピュータ装置２では、受信手段２２が、電子ペン１から送信された筆圧０の記入情報を受信すると、処理手段２４は、カウントを開始して、初期値が０の変数ｔを所定時間幅ごとに１だけ加算していく（ステップＳ４０１）。そして、処理手段２４は、受信した記入情報に含まれるＤＯＬ座標系の座標情報を、記憶手段２５により記憶された第１座標変換関数を用いて、ディスプレイ座標系の座標情報に変換する（ステップＳ４０２）。そして、処理手段２４は、変換後の座標情報に基づき電子ペン入力位置を定め、当該電子ペン入力位置から所定範囲におけるタッチパネル３４の入力機能を制限する（ステップＳ４０３）。具体的には、処理手段２４は、電子ペン入力位置から半径Ｒの円領域のタッチパネル３４の入力機能をオフにする。
【０１１３】
次に、処理手段２４は、筆圧（ｐ）が０より大きい記入情報を受信したか否か判定する（ステップＳ４０４）。これにより、処理手段２４は、電子ペン１がＤＯＬ３０に接触した状態で電子ペン入力が行われているか、又は、電子ペン１がＤＯＬ３０に接触せずに近接しているか判断する。そして、筆圧が０より大きい記入情報を受信していない場合（ステップＳ４０４；Ｎｏ）、処理手段２４は、変数ｔが所定値Ｔより大きいか否か判定し（ステップＳ４０５）、変数ｔが所定値Ｔ以下の場合では（ステップＳ４０５；Ｎｏ）、処理手段２４は、ステップＳ４０４の処理へ戻り、筆圧が０より大きい記入情報を受信したか否か引き続き監視する。そして、処理手段２４は、変数ｔが所定値Ｔよりも大きくなった場合に（ステップＳ４０５；Ｙｅｓ）、当該処理フローにおいて処理対象となっている電子ペン１の電子ペン入力位置に基づくタッチパネル３４の入力機能の制限を解除する（ステップＳ４１２）。
【０１１４】
一方、筆圧が０より大きい記入情報を受信したと判定した場合（ステップＳ４０４；Ｙｅｓ）、処理手段２４は、電子ペン１がＤＯＬ３０に接触した状態で電子ペン入力が行われたと判断し、記憶手段２５に、その記入情報をペンＩＤ毎に記憶させる（ステップＳ４０６）。次に、処理手段２４は、受信した記入情報に含まれるＤＯＬ座標系の座標情報を、記憶手段２５により記憶された第１座標変換関数を用いて、ディスプレイ座標系の座標情報に変換する（ステップＳ４０７）。そして、処理手段２４は、変換後の座標情報に基づき電子ペン入力位置を定め、当該電子ペン入力位置から半径Ｒの円領域のタッチパネル３４の入力機能をオフにする（ステップＳ４０８）。そして、処理手段２４は、電子ペン入力処理を行う（ステップＳ４０９）。例えば、処理手段２４は、変換後の座標情報に基づいて、ディスプレイパネル３５により現在表示中の画像に、記入されたストロークを重畳して描画し、ディスプレイパネル３５による表示を更新させると共に、描画後の画像を記憶手段２５に更新して記憶させる。
【０１１５】
次に、処理手段２４は、筆圧が０より大きい記入情報を受信しているか否か判定し（ステップＳ４１０）、筆圧が０より大きい記入情報を受信していると判定した場合（ステップＳ４１０；Ｙｅｓ）、引き続きステップＳ４０６の処理へ移行し、記入情報に基づき処理を行う。一方、筆圧が０より大きい記入情報を受信していないと判定した場合（ステップＳ４１０；Ｎｏ）、処理手段２４は、電子ペン１がＤＯＬ３０から離れたと判断し、次に、筆圧０の記入情報を受信しているか否か判定する（ステップＳ４１１）。そして、筆圧０の記入情報を受信していると判定した場合（ステップＳ４１１；Ｙｅｓ）、処理手段２４は、電子ペン１はＤＯＬ３０に対してドットパターンが読み取り可能な近接状態にあると判断し、ステップＳ４１０の処理へ戻り、再び電子ペン１のペンダウンが行われるか否か判定する。
【０１１６】
一方、筆圧０の記入情報を受信していないと判定した場合（ステップＳ４１１；Ｎｏ）、処理手段２４は、電子ペン１がＤＯＬ３０に対してドットパターンを読み取れない位置まで離れ、ユーザによる電子ペン入力が終了したと判断し、当該処理フローにおいて処理対象となっている電子ペン１の電子ペン入力位置に基づくタッチパネル３４の入力機能の制限を解除する（ステップＳ４１２）。
【０１１７】
［具体例］
次に、図１８に示す制限モード時のフローチャートの処理の具体例について、図１９を参照してさらに詳しく説明する。図１９は、電子ペン１とＤＯＬ３０との位置関係と、各位置関係の場合にコンピュータ装置２へ送信される記入情報の内容とを示す図である。なお、図１９に示す記入情報において、（Ｘａ、Ｙａ）乃至（Ｘｄ、Ｙｄ）は、ＤＯＬ座標系の座標値を示し、「ＰＤ」は、ペンダウンを示し、「ＰＵ」は、ペンアップを示すものとする。
【０１１８】
まず、図１９（ａ）では、ユーザが電子ペン１の電子ペン部１０４のペン先部１０３をＤＯＬ３０に近接させる。これにより、電子ペン１は、ドットパターンを読み取り、ＤＯＬ座標系の座標値と、筆圧０の情報とを含む記入情報を生成し、コンピュータ装置２へ送信する。コンピュータ装置２は、筆圧０の記入情報を受信し、変数ｔを増加させてカウントを開始し（ステップＳ４０１参照）、電子ペン入力位置から半径Ｒの円領域のタッチパネル３４の入力機能をオフにする（ステップＳ４０３参照）。そして、コンピュータ装置２は、筆圧０の記入情報を受信している間、変数ｔが所定値Ｔより大きくならないか否か監視する（ステップＳ４０４、ステップＳ４０５参照）。
【０１１９】
次に、図１９（ｂ）では、ユーザは、電子ペン部１０４のペン先部１０３をＤＯＬ３０上にペンダウンする。この場合、電子ペン１は、ペンダウン情報と、０より大きい筆圧の情報とを含む記入情報を生成し、コンピュータ装置２へ送信する。そして、コンピュータ装置２は、筆圧が０より大きい記入情報を受信したことから（ステップＳ４０４参照）、制限範囲Ｗｒでのタッチパネル３４の入力機能をオフにしつつ、記入情報に基づき電子ペン入力処理を行う（ステップＳ４０６乃至ステップＳ４０９参照）。その後、電子ペン１は、ユーザが電子ペン部１０４のペン先部１０３のペンダウンをして記入を継続している間、ＤＯＬ３０座標系の座標値と、０より大きい筆圧の情報とを含む記入情報を生成し、コンピュータ装置２へ送信する。この場合、コンピュータ装置２は、筆圧が０より大きい記入情報を受信していることから（ステップＳ４１０参照）、引き続き電子ペン入力処理等を行う（ステップＳ４０６乃至ステップＳ４０９参照）。
【０１２０】
次に、図１９（ｃ）では、ユーザは、電子ペン部１０４のペン先部１０３をペンアップし、ＤＯＬ３０と近接させた状態とする。この場合、電子ペン１は、ペンアップ情報と、筆圧０の情報とを含む記入情報を生成し、コンピュータ装置２へ送信する。この場合、コンピュータ装置２は、筆圧０の記入情報を受信しているか否か監視を行う（ステップＳ４１１参照）。
【０１２１】
そして、図１９（ｄ）では、ユーザは、図１９（ｃ）の状態から再び電子ペン部１０４のペン先部１０３をＤＯＬ３０上にペンダウンする。この場合、コンピュータ装置２は、再び筆圧が０より大きい記入情報を電子ペン１から受信し（ステップＳ４１０参照）、記入情報に基づき電子ペン入力処理を行う（ステップＳ４０６乃至ステップＳ４０９参照）。
【０１２２】
一方、図１９（ｅ）では、ユーザは、図１９（ｃ）の状態からさらに電子ペン部１０４のペン先部１０３をＤＯＬ３０から遠ざける。この場合、電子ペン１は、ドットパターンを読み取ることができないため、記入情報を生成しない。従ってこの場合、コンピュータ装置２は、筆圧０の記入情報を受信しなくなったことから（ステップＳ４１１参照）、タッチパネル機能の制限を解除する（ステップＳ４１２参照）。
【０１２３】
［第３実施形態の入力システムによる作用効果］
第３実施形態の入力システムによれば、コンピュータ装置２は、各電子ペン１から送信されたペン先状態検知信号Ｓｄに基づき、登録された電子ペン１の全ての電子ペン部１０４が突出状態である場合、タッチパネル機能をオフに設定する。これにより、コンピュータ装置２は、電子ペン１の全ユーザが電子ペン入力を行う意思があると推定される場合にはタッチパネル機能をオフにして意図しないタッチパネル入力を抑制することができる。
【０１２４】
また、コンピュータ装置２は、登録された電子ペン１のうちいずれかの電子ペン部１０４が収納状態である場合には、制限モードによりタッチパネル入力処理を行う。そして、電子ペン１自体の電源がオンの間はＬＥＤ１０５及びＣＭＯＳカメラ１０６も常にオンに設定され、コンピュータ装置２は、制限モード時に記入情報を受信した場合に、電子ペン入力位置から所定範囲Ｗｒにおけるタッチパネル３４の入力機能を制限する。これにより、ユーザが電子ペン入力を行う場合に、電子ペン１がドットパターンを読み取れる状態になれば、電子ペン１のペン先がＤＯＬ３０に当接する前から、電子ペン１を把持する手の側部がＤＯＬ３０に接触する前であっても、電子ペン入力位置から所定範囲Ｗｒにおけるタッチパネル３４の入力機能をオフにすることができる。従って、第３実施形態の入力システムは、電子ペン入力に伴うタッチパネル入力の誤検出を防ぐことができる。
【０１２５】
また、コンピュータ装置２は、制限モード時では、電子ペン入力位置から所定範囲に限ってタッチパネル３４の入力機能をオフにすることで、電子ペン１を把持する手の側部等がＤＯＬ３０に接触することに起因した誤入力を防ぎつつ、他のユーザによるタッチパネル入力を有効に処理することができる。従って、第３実施形態は、ディスプレイ装置３が大型の画面を有し、複数人によりタッチパネル入力と電子ペン入力とを行う可能性がある場合にも好適に適用される。
【０１２６】
また、コンピュータ装置２は、筆圧０の記入情報を受信後に変数ｔによりカウントを開始し、その後、筆圧が０より大きい記入情報を受信しない場合であっても、変数ｔが所定値Ｔより大きくなるまでは、タッチパネル３４の入力機能の制限を解除しない。これにより、タッチパネル３４の入力機能の制限の設定及び解除が頻繁に発生するのを抑制することができる。
【０１２７】
［第３実施形態の変形例］
次に、第３実施形態の変形例について説明する。第３実施形態では、第１実施形態の変形例１及び変形例２、第２実施形態の変形例３及び変形例４に加え、以下の変形例５〜７を任意に組み合わせて適用可能である。
【０１２８】
（変形例５）
図１６の説明では、処理手段２４は、電子ペン入力位置から半径Ｒの円領域を制限範囲Ｗｒに定めたが、制限範囲Ｗｒの設定方法は、これに限定されない。これに代えて、例えば、処理手段２４は、楕円、その他円以外の予め定めた形状の領域を、電子ペン入力位置に基づき制限範囲Ｗｒに定めてもよい。
【０１２９】
（変形例６）
図１７の処理フローでは、タッチパネル機能制限手段２４４は、コンピュータ装置２に登録された電子ペン１のうち、少なくとも１つの電子ペン１の電子ペン部１０４が収納状態である場合に、タッチパネル機能を制限モードにした。これに代えて、タッチパネル機能制限手段２４４は、コンピュータ装置２に登録された電子ペン１のうち、少なくとも１つの電子ペン１のタッチパネル用ペン部１１４が突出状態である場合に、タッチパネル機能を制限モードにし、その他の場合にはタッチパネル機能をオフにしてもよい。
【０１３０】
この場合、電子ペン１のノック検知部１４０は、電子ペン部１０４のペン先部１０３に加えて、又はこれに代えて、タッチパネル用ペン部１１４のペン先部１１３が突出状態又は収納状態のいずれの状態であるかを検出する。例えば、電子ペン１が第２実施形態の変形例３で説明した図１２に示す構成等を有する場合、ノック検知部１４０は、電子ペン部１０４のペン先部１０３に加えて、タッチパネル用ペン部１１４のペン先部１１３が突出状態又は収納状態のいずれの状態であるかを検出することが可能である。そして、ノック検知部１４０は、ノック操作に基づきタッチパネル用ペン部１１４のペン先部１１３の状態遷移を検知した場合、当該ペン先部１１３が突出状態又は収納状態のいずれの状態であるかを示すペン先状態検知信号Ｓｄを、コンピュータ装置２へ送信する。コンピュータ装置２は、予めコンピュータ装置２に登録された各電子ペン１のタッチパネル用ペン部１１４のペン先部１１３の状態を、各電子ペン１から送信されるペン先状態検知信号Ｓｄに基づき常に監視する。そして、コンピュータ装置２は、少なくとも１つの電子ペン１のタッチパネル用ペン部１１４のペン先部１１３が突出状態である場合に、タッチパネル機能を制限モードにし、全ての電子ペン１のタッチパネル用ペン部１１４のペン先部１１３が収納状態の場合にはタッチパネル機能をオフにする。
【０１３１】
このように、変形例６では、コンピュータ装置２は、いずれかのユーザが電子ペン１によりタッチパネル入力を行う可能性があると推定される場合には、コンピュータ装置２は、タッチパネル機能を制限モードにする。これにより、コンピュータ装置２は、電子ペン入力を行わないユーザのタッチパネル入力を受け付けると共に、電子ペン入力中に電子ペン１を把持する手の側部がＤＯＬ３０上で接触した場合であっても、タッチパネル入力として処理するのを抑制することができる。また、コンピュータ装置２は、電子ペン１の全ユーザが電子ペン１によりタッチパネル入力を行う意思がないと推定される場合にはタッチパネル機能をオフにして意図しないタッチパネル入力を抑制することができる。
【０１３２】
（変形例７）
上述した第３実施形態の説明に加え、コンピュータ装置２は、予め登録されていない電子ペン１から記入情報を受信した場合、当該電子ペン１を、図１７のステップＳ３０１でペン先部１０３が突出状態か否か判定する対象に加えてもよい。
【０１３３】
また、これに加えて、又はこれに代えて、コンピュータ装置２は、現在から所定時間幅（例えば１時間又は１時間半）以内に受信した記入情報を送信した電子ペン１に限り、図１７のステップＳ３０１でペン先部１０３が突出状態か否か判定する対象としてもよい。これにより、コンピュータ装置２は、実際に使用されている電子ペン１のみをステップＳ３０１での対象にし、タッチパネル機能をオフにすべきか制限モードにすべきかを好適に判定することができる。
【符号の説明】
【０１３４】
１…電子ペン
２…コンピュータ装置
３…ディスプレイ装置
４…記入用紙
６…プロジェクタ
２１…入力手段
２２…受信手段
２４…処理手段
２５…記憶手段
３０…ＤＯＬ
３４…タッチパネル
３５…ディスプレイパネル
【図２】
0005682435.tif 000002
【図３】
0005682435.tif 000003
【図４】
0005682435.tif 000004
【図５】
0005682435.tif 000005
【図６】
0005682435.tif 000006
【図７】
0005682435.tif 000007
【図１０】
0005682435.tif 000008
【図１１】
0005682435.tif 000009
【図１２】
0005682435.tif 000010
【図１５】
0005682435.tif 000011
【図１７】
0005682435.tif 000012
【図１８】
0005682435.tif 000013
【図１】
0005682435.tif 000014
【図８】
0005682435.tif 000015
【図９】
0005682435.tif 000016
【図１３】
0005682435.tif 000017
【図１４】
0005682435.tif 000018
【図１６】
0005682435.tif 000019
【図１９】
0005682435.tif 000020